(57)【要約】  第１のコンポーネント（１２）であって、前記第１のコンポーネント（１２）から延びる１つまたは複数のスタブ部分（１６）を有し、前記１つまたは複数のスタブ部分（１６）はトラフ（２４）により周方向に分離される半径方向に延びる歯（２２）のうちの少なくとも１つのセットで形成される第１のコンポーネント（１２）と、前記スタブ部分（１６）のうちの１つを受け入れるように成形されるソケット部分を有する第２のコンポーネント（１４）であって、前記ソケット部分の内面に周方向へ離隔して配置される形成物（３０）が設けられる第２のコンポーネント（１４）とを含むセット（１０）。前記スタブ部分（１６）は、前記スタブ部分（１６）の歯（２２）をソケットの形成物（３０）間に位置合わせすることによって第２のコンポーネント（１４）のソケット内に受容されることが可能であり、前記スタブ部分及びソケットは、この後、スタブ部分の歯（２２）がソケットの形成物（３０）に係合して第１及び第２のコンポーネントを結合させるように第１のコンポーネント（１２）または第２のコンポーネント（１４）を相対的に回転させることによって接続される。
2010513801.tif 000002
【特許請求の範囲】
【請求項１】
共に結合され得るコンポーネントのセットであって、
第１のコンポーネントであって、前記第１のコンポーネントから延びる１つまたは複数のスタブ部分を有し、前記１つまたは複数のスタブ部分はトラフにより周方向に分離される半径方向に延びる歯のうちの少なくとも１つのセットで形成される第１のコンポーネントと、
前記スタブ部分のうちの１つを受け入れるように成形されるソケット部分を有する第２のコンポーネントであって、前記ソケット部分の内面に周方向に離隔して配置される形成物が設けられる第２のコンポーネントと、を含み、
前記スタブ部分は、前記スタブ部分の歯を前記ソケットの形成物間に位置合わせすることによって前記第２のコンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続されるコンポーネントのセット。
【請求項２】
前記形成物は、前記ソケット部分の内面に設けられる相補的な歯及びトラフであり、
前記スタブ部分は、前記スタブ部分の歯を前記ソケットのトラフと位置合わせすることによって前記第２のコンポーネントのソケット内に受容され、前記スタブ部分及びソケットは、この後、前記スタブ部分の歯が前記ソケットの歯に係合して前記第１及び第２のコンポーネントを結合させるように前記第１または第２のコンポーネントを相対的に回転させることによって接続される、請求項１に記載のセット。
【請求項３】
前記形成物は、前記ソケットの内壁に切り込まれたノッチであり、前記スタブ部分の歯は前記ノッチ内に係合する、請求項１に記載のセット。
【請求項４】
前記ノッチは円の外周によって画定され、前記外周は前記ソケットの内壁の幅より大きい、請求項３に記載のセット。
【請求項５】
前記第１のコンポーネントは接続用エレメントであり、かつ前記第２のコンポーネントは、好適には円形または正方形断面の管状コンポーネントであってもよい、請求項２、３または４に記載のセット。
【請求項６】
前記スタブ部分に沿って軸方向へ複数の歯セットが設けられる、先行する請求項のいずれか１項に記載のセット。
【請求項７】
隣接する歯セットのピーク及びトラフは、軸方向に位置合わせされたトラフ領域によって分離される軸方向に位置合わせされたピーク領域を画定するように軸方向に位置合わせされる、請求項６に記載のセット。
【請求項８】
前記ソケット部分は、軸方向に位置合わせされたトラフ領域によって分離される軸方向に位置合わせされたピーク領域を画定する相補的な形成物を装備する、請求項７に記載のセット。
【請求項９】
前記スタブ部分の断面は略円形である、先行する請求項のいずれか１項に記載のセット。
【請求項１０】
前記スタブ部分に沿って軸方向へ一連の３セットの歯が設けられる、先行する請求項のいずれか１項に記載のセット。
【請求項１１】
前記歯セットまたは各歯セット及びトラフは、個々のセットの軸方向断面が略正方形断面に似るように、前記スタブ部分の周辺で周方向に交互する４つのピーク及び４つのトラフから成る、先行する請求項のいずれか１項に記載のセット。
【請求項１２】
前記第１のコンポーネントは、個々の側面を有する略立方体形状である中心部分を含む、先行する請求項のいずれか１項に記載のセット。
【請求項１３】
少なくとも１つのスタブ部分は前記中心部分の１つの側面から延びる、請求項１２に記載のセット。
【請求項１４】
前記第１のコンポーネントは各々幾つかのスタブ部分を支持する、先行する請求項のいずれか１項に記載のセット。
【請求項１５】
前記第１のコンポーネントは、互いに直交して設けられる３つのスタブ部分を有し、これにより３つの第２のコンポーネントを接続する、請求項１４に記載のセット。
【請求項１６】
パネル構造体を形成するために、平面に設けられる４つのスタブ部分を有する複数の第１のコンポーネントが提供される、請求項１４に記載のセット。
【請求項１７】
前記第２のコンポーネントは中空の管状ロッドとして形成される、先行する請求項のいずれか１項に記載のセット。
【請求項１８】
前記第２のコンポーネントは正方形の外断面を有する、請求項１７に記載のセット。
【請求項１９】
前記第２のコンポーネントはアルミニウム押出し管として形成される、先行する請求項のいずれか１項に記載のセット。
【請求項２０】
各スタブ部分上に設けられる、前記スタブ部分を個々の前記第２のコンポーネント内へ位置決めするのをアシストする位置決めデバイスをさらに含む、先行する請求項のいずれか１項に記載のセット。
【請求項２１】
前記位置決めデバイスはばね荷重式であり、回転して係合されるとロック位置でポジティブストップを生成する、請求項２０に記載のセット。
【請求項２２】
前記位置決めデバイスは、その内面に形成され、各スタブ部分に形成される位置決め用歯セットと相補的である位置決め用歯セットを含む、請求項２０または２１に記載のセット。
【請求項２３】
前記相補的な位置決め用歯セットは、前記スタブ部分を中心とする前記位置決めデバイスの４５゜刻みでの半径方向回転を許容する、請求項２２に記載のセット。
【請求項２４】
前記位置決めデバイスは、個々の前記スタブ部分及び位置決めデバイスが第２のコンポーネントまたはソケットに挿入され、かつ４５゜回転されて前記スタブ部分の歯と前記第２のコンポーネントまたはソケットの歯とが係合すると、前記位置決めデバイスが前記第２のコンポーネントまたはソケットに対して回転されなくなるように成形される、請求項２３に記載のセット。
【請求項２５】
前記アッセンブリは、軸方向へ滑動可能なロック機構を含む、先行する請求項のいずれか１項に記載のセット。
【請求項２６】
ばね荷重式の管状部分は、前記スタブ部分の後方で前記第１のコンポーネントの周りに滑動可能式に、但し回転不能式に配置される、請求項２５に記載のセット。
【請求項２７】
前記管状部分からは、前記スタブ部分の端へ向かって軸方向へ少なくとも１つの突起が延びる、請求項２６に記載のセット。
【請求項２８】
前記スタブ部分を前記ソケット内へ完全に受け入れるために、前記ばね荷重式の管状部分は、前記歯と形成物とが係合できるように前記突起を引っ込めながら後方へ滑動されなければならない、請求項２７に記載のセット。
【請求項２９】
前記第１及び第２のコンポーネントによる相対回転で前記歯が係合した後、前記管状部分は前記突起を前記ソケットの形成物間へ導入するように移動し、前記管状部分がまず引っ込められて前記突起が解放されない限り前記ソケットの遊離を防止する、請求項２８に記載のセット。
【請求項３０】
中心部分から延びる１つまたは複数のスタブ部分を有するコンポーネントであって、前記１つまたは複数のスタブ部分は、トラフによって周方向に分離される半径方向に延びる歯の少なくとも１つのセットによって形成され、
前記コンポーネントは、前記スタブ部分のうちの１つを受け入れるように成形されるソケット部分を有する第２のコンポーネントへ結合されることが可能であり、前記ソケット部分の内面には周方向に離隔された形成物が設けられ、
前記スタブ部分は、前記スタブ部分の歯を前記ソケットの形成物間に位置合わせすることによって前記第２のコンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続されるコンポーネント。
【請求項３１】
前記スタブ部分のうちの１つを受け入れるように成形されるソケット部分を有するコンポーネントであって、前記ソケット部分の内面に周方向に離隔された形成物が設けられ、
前記コンポーネントは、中心部分から延びる１つまたは複数のスタブ部分を有する第２のコンポーネントへ結合されることが可能であり、前記１つまたは複数のスタブ部分は、トラフによって周方向に分離される半径方向に延びる歯の少なくとも１つのセットによって形成され、
前記スタブ部分は、前記スタブ部分の歯を前記ソケットの形成物間に位置合わせすることによって前記コンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続されるコンポーネント。
【請求項３２】
請求項１から２９のいずれか１項に記載の１つまたは複数のセットを含むフレーム構造体。
【請求項３３】
前記フレーム構造体は壁に取り付けられる、請求項３２に記載のフレーム構造体。
【請求項３４】
前記フレーム構造体は自立構造体である、請求項３２に記載のフレーム構造体。
【請求項３５】
前記構造体へ少なくとも１つのパネル部材を取り付けるための手段をさらに含む、請求項３２、３３または３４に記載のフレーム構造体。
【請求項３６】
前記パネル部材はタイル、ガラスパネルまたはこれらに類似するものである、請求項３５に記載のフレーム構造体。
【請求項３７】
フレーム構造体用キットであって、
少なくとも１つの第１のコンポーネントであって、前記第１のコンポーネントから延びる１つまたは複数のスタブ部分を有し、前記１つまたは複数のスタブ部分はトラフにより周方向に分離される半径方向に延びる歯のうちの少なくとも１つのセットで形成される少なくとも１つの第１のコンポーネントと、
前記スタブ部分のうちの１つを受け入れるように成形されるソケット部分を有する少なくとも１つの第２のコンポーネントであって、前記ソケット部分の内面に周方向へ離隔して配置される形成物が設けられる少なくとも１つの第２のコンポーネントと、を含み、
前記スタブ部分は、前記スタブ部分の歯を前記ソケットの形成物間に位置合わせすることによって前記第２のコンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続されるキット。
【請求項３８】
フレーム構造体のためのカップリングであって、前記カップリングは接続部材と、少なくとも１つのロッド部材とを含み、
前記接続部材は、前記接続部材から延びる１つまたは複数のスタブ部分を含み、前記１つまたは複数のスタブ部分は、トラフによって周方向に分離される半径方向へ延びる歯セットで形成され、
前記少なくとも１つのロッド部材は、前記スタブ部分のうちの１つを受け入れるように成形された端部分を含み、前記端部分の内面には相補的な歯及びトラフが設けられ、
前記スタブ部分は、前記スタブ部分の歯を前記ロッド部材のトラフに位置合わせすることによって少なくとも１つのロッド部材内に受容され、前記スタブ部分及びロッド部材は、この後、前記スタブ部分の歯が前記ロッド部材の歯に係合するように前記スタブ部分及び前記ロッド部材を相対的に回転させることによって接続されるカップリング。
【発明の詳細な説明】
【技術分野】
【０００１】
本発明は、共に結合され得るコンポーネントのセットに関する。本セットは、オープンフレーム構造体に使用されることが可能であり、好適には、複数のロッドまたは管部材と、これらのロッドまたは管部材を接続するための相互接続ジョイントとを備える。具体的には、本発明は、本セットのこれらのコンポーネントを接続する方法に関する。本コンポーネントセットを組み込むフレーム構造体は、店舗のディスプレイ構造体または棚システムとして特定のアプリケーションを有する。本発明によるセットを形成するコンポーネントが様々なタイプのアプリケーションを有し得ることは認識されるであろう。
【発明の背景】
【０００２】
相互に接続される一連のロッドまたは管部材を備えるフレーム構造体は周知であり、店舗のディスプレイ構造体として広く使用されている。これには、より小さいユニットとして製造かつ搬送でき、より小型の梱包で足りるという点において、組立て済みの構造体を凌ぐ優位点がある。そのモジュール性は、これらが、典型的には現場で必要に応じて多くの異なる製品に構築され得ることを意味する。
【０００３】
ロッドまたは管部材を接合する方法は、これまで様々に考案されている。一般的なシステムは、ロッドまたは管部材へスピゴット／ソケット式に接合される接続用の部材またはジョイントを準備することを含む。接続用ジョイントは、構築されるべきフレーム構造体に依存して、複数のロッドまたは管部材を接続できるようにする様々な形式で準備される。
【０００４】
ロッドまたは管部材の接続用ジョイントへの接続、及びこれに続く接続部の保全は、概して、接続用ジョイント及び相補断面を有するロッドまたは管部材を準備することに依存してきている。接続方法のうちの１形式は、接続用コンポーネント間の摩擦嵌合に依存する。別のシステムは、フレーム構造体が構築されたときの確実な接続を保全するために、少なくとも１つの接続用コンポーネントの塑性変形に依存する。
【０００５】
コンポーネントの摩擦嵌合または変形を関係させる接続方法は、特には店舗のディスプレイ構造体が頻繁に解体されかつ組み立て直される商業環境において、急な摩耗及び引裂を受けることが観察されている。コンポーネント上の摩耗及び引裂は、接続の急速な劣化を招き、緩く不安定なフレーム構造体に繋がる。
【０００６】
本件出願者は、先に述べた欠点を少なくとも部分的に軽減し、しかも同時にモジュール性及び容易な構築という優位点を提供するフレーム構造体を形成するようにコンポーネントを結合することが可能な改良された方法が必要とされていることを認識している。
【発明の概要】
【０００７】
従って、本発明は、共に結合されることが可能なコンポーネントセットを提供し、本コンポーネントセットは、
第１のコンポーネントであって、前記第１のコンポーネントから延びる１つまたは複数のスタブ部分を有し、前記１つまたは複数のスタブ部分はトラフにより周方向に分離される半径方向に延びる歯のうちの少なくとも１つのセットで形成される第１のコンポーネントと、
前記スタブ部分のうちの１つを受け入れるように成形されるソケット部分を有する第２のコンポーネントであって、前記ソケット部分の内面に周方向に離隔して配置される形成物が設けられる第２のコンポーネントと、を含み、
前記スタブ部分は、前記スタブ部分の歯を前記ソケットの形成物間に位置合わせすることによって前記第２のコンポーネントのソケット内に受容されることが可能であり、前記スタブ部分及びソケットは、この後、前記スタブ部分の歯が前記ソケットの形成物に係合して前記第１及び第２のコンポーネントを結合させるように第１または第２のコンポーネントを相対的に回転させることによって接続される。
【０００８】
第１の実施形態によれば、前記形成物は、ソケット部分の内面に設けられる相補的な歯及びトラフであってもよく、
前記スタブ部分は、前記スタブ部分の歯を前記ソケットのトラフと位置合わせすることによって前記第２のコンポーネントのソケット内に受容され、前記スタブ部分及びソケットは、この後、前記スタブ部分の歯が前記ソケットの歯に係合して前記第１及び第２のコンポーネントを結合させるように第１または第２のコンポーネントを相対的に回転させることによって接続される。
【０００９】
第２の実施形態によれば、前記形成物は、ソケットの内壁に切り込まれたノッチであってもよい。スタブ部分の歯は、前記ノッチ内に係合する。ノッチは円の外周によって画定されてもよく、前記外周はソケットの内壁の幅より大きい。
【００１０】
第１のコンポーネントは接続用エレメントであってもよく、第２のコンポーネントは、好適には円形または正方形断面の管状コンポーネントであってもよい。
【００１１】
ある好適な実施形態では、スタブ部分に沿って軸方向へ複数の歯セットが設けられる。隣接する歯セットのピーク及びトラフは、軸方向に位置合わせされたトラフ領域によって分離される軸方向に位置合わせされたピーク領域を画定するように、軸方向に位置合わせされる。この実施形態では、ソケット部分は、軸方向に位置合わせされたトラフ領域によって分離される軸方向に位置合わせされたピーク領域を画定する相補的な形成物を装備する。
【００１２】
スタブ部分の断面は、好適には、略円形である。ある好適な実施形態では、スタブ部分に沿って軸方向へ一連の３セットの歯が設けられるが、この数はアプリケーションに依存して変更されてもよい。
【００１３】
ある特に好適な実施形態では、前記歯セットまたは各歯セット及びトラフは、個々のセットの軸方向断面が略正方形断面に似るように、スタブ部分の周辺で周方向に交互する４つのピーク及び４つのトラフから成る。
【００１４】
効果的には、第１のコンポーネントは、個々の側面を有する略立方体形状である中心部分を含む。好適には、少なくとも１つのスタブ部分は、前記中心部分の１つの側面から延びる。好適な実施形態では、第１のコンポーネントは各々、幾つかのスタブ部分を支持する。例えば、あるフレーム構造体の１つの角は、互いに直交して設けられる３つのスタブ部分を有し、これにより３つの第２のコンポーネントを接続する第１のコンポーネントを使用して形成されてもよい。パネル構造体は、平面上に設けられる４つのスタブ部分を有する複数の第１のコンポーネントによって形成されてもよい。
【００１５】
セットの第２のコンポーネントは、好適には、中空の管状ロッドとして、かつ正方形の外断面を有して形成されてもよい。或いは、この外断面は円形であっても、適切な他の任意の形状であってもよい。第２のコンポーネントは、効果的には、アルミニウム押出し管として形成される。ある代替実施形態では、第２のコンポーネントは、第１のコンポーネントのスタブ部分への接続に必要な内部構造を設けるためのダイカストインサートを有するステンレス鋼管として形成される。
【００１６】
ある実施形態によれば、内部的に、押出し成形された第２のコンポーネントの各々は、第１のコンポーネントのスタブ部分に設けられる形成物に対して相補的である歯形成物を端部分の内面に含む。ダイカストインサートが利用される場合、この歯形成物はダイカストインサートの内面に設けられ、次いでこのダイカストインサートはステンレス鋼製の第２のコンポーネントの端へ挿入される。
【００１７】
第１のコンポーネントは、効果的には、各スタブ部分に設けられる、第２のコンポーネントの個々のソケット部分におけるスタブ部分の位置決めをアシストする位置決めデバイスをさらに含む。位置決めデバイスは、好適にはばね荷重式であり、回転して係合されるとロック位置でポジティブストップを生成する。位置決めデバイスは、好適には、その内面に形成される、各スタブ部分に形成される位置決め歯のセットと相補的である位置決め歯セットを含む。この相補的な位置決め歯セットは、効果的には、スタブ部分を中心とする位置決めデバイスの４５゜刻みでの半径方向回転を許容する。位置決めデバイスは、好適には、個々のスタブ部分及び位置決めデバイスがソケット部分に挿入され、かつ４５゜回転されてスタブ部分の歯とソケット部分の歯とが係合すると、位置決めデバイスが第２のコンポーネントに対して回転されなくなるように成形される。
【００１８】
ある代替装置において、スタブ部分は第２のコンポーネント上に設けられてもよく、かつ第１のコンポーネントは第２のコンポーネントのスタブ部分を受け入れるソケットを含んでもよいことは認識されるであろう。
【００１９】
別の態様において、本発明は、本発明の第１の態様に従って記述しているコンポーネントセットのうちの１つまたは複数を含むフレーム構造体を提供する。
【００２０】
このフレーム構造体は壁に取り付けられてもよく、自立構造体として構築されてもよい。
【００２１】
フレーム構造体は、さらに、少なくとも１つのパネル部材を構造体へ取り付けるための手段を含んでもよい。
【００２２】
パネル部材は、好適には、タイル、ガラスパネルまたはこれらに類似するものである。
【００２３】
また本発明は、別々のコンポーネントとして提供される、先に述べた第１のコンポーネント及び第２のコンポーネントに展開されてもよい。
【００２４】
ある特定の効果的な実施形態では、コンポーネントセットは軸方向に滑動可能なロック機構を含む。第１のコンポーネントに近いスタブ部分の後方には、ばね荷重式の管状部分が滑動可能式に、但し回転不能式に配置される。管状部分からは、スタブ部分の端へ向かって軸方向へ少なくとも１つの突起が延びる。スタブ部分をソケット内へ完全に受け入れるために、ばね荷重式の管状部分は、歯と形成物とが係合できるように突起を引っ込めながら後方へ滑動されなければならない。第１及び第２のコンポーネントによる相対回転で歯が係合した後、管状部分は突起をソケットの形成物間へ導入するように移動し、管状部分がまず引っ込められて突起が解放されない限り、ソケットの遊離を防止する。
【００２５】
別の実施形態によれば、本発明はフレーム構造体のためのカップリングを提供し、本カップリングは接続部材と、少なくとも１つのロッド部材とを含み、
前記接続部材は、前記接続部材から延びる１つまたは複数のスタブ部分を含み、前記１つまたは複数のスタブ部分は、トラフによって周方向に分離される半径方向へ延びる歯セットで形成され、
前記少なくとも１つのロッド部材は、前記スタブ部分のうちの１つを受け入れるように成形された端部分を含み、前記端部分の内面には相補的な歯及びトラフが設けられ、
前記スタブ部分は、前記スタブ部分の歯を前記ロッド部材のトラフに位置合わせすることによって少なくとも１つのロッド部材内に受容され、前記スタブ部分及びロッド部材は、この後、前記スタブ部分の歯が前記ロッド部材の歯に係合するように前記スタブ部分及び前記ロッド部材を相対的に回転させることによって接続される。
【図面の簡単な説明】
【００２６】
次に、添付の図面を参照して、本発明を単に例示として説明する。
【図１Ａ】接続前にコンポーネントが離隔されている、本発明の一実施形態によるセットを示す斜視図である。
【図１Ｂ】接続されている図１Ａのコンポーネントセットを示す斜視図である。
【図１Ｃ】図１Ａ及び図１Ｂのセットの第２のコンポーネントを示す斜視図である。
【図１Ｄ】図１Ａ及び図１Ｂのセットの第１のコンポーネントを示す斜視図である。
【図１Ｅ】図１Ｃの第２のコンポーネントを示す部分切欠き斜視図である。
【図２】前記第２のコンポーネントの代替実施形態を示す斜視図である。
【図３】第２のコンポーネント沿いに見た第１のコンポーネントを示す部分断面側面図である。
【図４】ある代替実施形態による第１のコンポーネントを示す分解図である。
【図５Ａ】本発明のコンポーネントセットを組み込んだ異なるフレーム構造体を示す斜視図である。
【図５Ｂ】本発明のコンポーネントセットを組み込んだ異なるフレーム構造体を示す斜視図である。
【図６】本発明のさらなる実施形態による、フェイスパネルを受け入れるように適合化された第１のコンポーネントを示す斜視図である。
【図７Ａ】図６の第１のコンポーネントへ取り付けられるフェイスパネルを示す斜視図である。
【図７Ｂ】図６の第１のコンポーネントへ取り付けられるフェイスパネルを示す斜視図である。
【図８Ａ】図６のアッセンブリを組み込む、各々囲われたフレーム構造体及び二次元構造体を示す斜視図である。
【図８Ｂ】図６のアッセンブリを組み込む、各々囲われたフレーム構造体及び二次元構造体を示す斜視図である。
【図９】本発明のさらなる実施形態によるコンポーネントセットの第１のコンポーネントを示す斜視図である。
【図１０】図９の第１のコンポーネントを有するセットを、接続される４つの第２のコンポーネントと共に示す斜視図である。
【図１１】図９の第１のコンポーネントを示す部分分解斜視図である。
【図１２】図９の第１のコンポーネントを、前記第１のコンポーネントへ結合されるべき位置に軸方向に位置合わせされた１つの第２のコンポーネントと共に示す斜視図である。
【図１３】第１のコンポーネントを、回転式に係合される第２のコンポーネントと共に示す、図１２に対応する斜視図である。
【図１４Ａ】図１０のセットの典型的な第２のコンポーネントを示す平面図である。
【図１４Ｂ】図１４Ａの線１４−１４に沿った第２のコンポーネントを示す軸方向の断面図である。
【図１４Ｃ】図１４Ａの第２のコンポーネントを示す斜視図である。
【図１５】図１４Ｂに類似する軸方向の断面図であるが、スタブ部分が接続され、ロック機構が係合された状態を示す。
【図１６】本発明の別の実施形態による、カップリング前のセットを示す斜視図である。
【図１７】接続されつつある図１６のセットを示す斜視図である。
【図１８】接続された図１６のセットを示す斜視図である。
【図１９Ａ】図１７に示すセットの断面端面図である。
【図１９Ｂ】図１７に示すセットの部分断面側面図である。
【図１９Ｃ】図１８に示すセットの断面端面図である。
【図１９Ｄ】図１８に示すセットの部分断面側面図である。
【図２０】図１６から図１９に示す第２のコンポーネントの部分断面側面図である。
【図２１】図２０の線Ａ−Ａに沿った断面端面図である。
【図２２】図１６から図１９に示す第１のコンポーネントの斜視図である。
【実施形態の詳細な説明】
【００２７】
図１Ａ及び図１Ｂは、本発明の第１の実施形態によるコンポーネントセットまたはカップリング１０を示す。セットまたはカップリング１０は、接続部材１２等の第１のコンポーネントと、ロッド部材１４等の第２のコンポーネントとを含む。この実施形態では、３つのロッド部材１４が示され、よって、接続部材へ結合されるとフレーム構造体の角が準備される。
【００２８】
図１Ａは、接続部材１２との接続前のロッド部材１４を示している。接続部材１２は、（図１Ｄに示すように）接続部材１２の中心部分１８の側面から外側へ延びる１つまたは複数のスタブ部分１６を装備する。この実施形態では、接続部材１２は３つのスタブ部分を装備している。中心部分１８は略立方体形状であり、接続部材１２は、中心部分１８とスタブ部分１６の各々との間で延びる短いアーム１９を含む。
【００２９】
スタブ部分１６の各々の主軸は断面が略円形であり、スタブ部分１６に沿って軸方向へ離隔される周状の歯セット２０の連なりを装備している。この実施形態では、３つの歯セット２０が示されているが、本発明が所望に応じて１つまたは複数の歯セット装備を包含することは認識されるであろう。
【００３０】
図１Ｄにおいて最もよく分かるように、各歯セット２０は、周方向に交互する歯２２及びトラフ２４によって形成される。歯セット２０の連なりが隣接して、但し互いから離隔されて設けられる場合、歯２２及びトラフ２４は、軸方向に位置合わせされたピーク領域とトラフ領域とを画定する。ある特に好適な実施形態では、各歯セット２０はスタブ部分１６を中心に半径方向へ交互する４つの歯２２と４つのトラフ２４とを含み、よって各セットの断面は略正方形に似ている。
【００３１】
ロッド部材１４は、図１Ｃ及び図１Ｅに示されている。ロッド部材１４は、好適には、外断面が正方形である中空のアルミニウム押出し管である。アプリケーション及び所望される美学に依存して、他の材料が使用されてもよく、かつ異なる外的形状を与えることもできる。
【００３２】
ロッド部材１４は、接続されると滑らかな、ほぼ継ぎ目のない外観が得られるように、外部寸法が接続部材１２の短いアーム１９と同じである。
【００３３】
ロッド部材１４のうちの１つの、好適には両端における内面は、周方向に間隔を置いた形成物を装備する。図１Ａから図１Ｅに示す実施形態では、前記形成物は、内面からソケット部分へと突き出す歯セットの形式をとり、かつスタブ部分１６の歯セット２０と相補的である。ロッド部材１４の歯セットも同様に、周方向に交互する歯３２及びトラフ３４を画定し、よって、幾つかの歯セット３０が互いに隣接して設けられると、軸方向に位置合わせされたピーク領域及びトラフ領域が形成される。
【００３４】
図２に示す本発明の代替実施形態では、ロッド部材１４は、先に述べたような外断面が正方形であるステンレス鋼管である。歯３２及びトラフ３４を備える歯セットは、ねじ３６を使用してロッド部材１４の１つまたは２つの端に固定されるダイカストインサート１００上に設けられる。
【００３５】
図１Ａから図１Ｅに示す本発明の実施形態のコンポーネントを結合する場合、図１Ａに示すように、ロッド部材１４は、スタブ部分１６のピーク領域がロッド部材１４のトラフ領域に位置合わせされるようにスタブ部分１６に対して予め決められた角度だけ、効果的には４５゜回転される。スタブ部分１６がロッド部材１４内に完全に挿入されると、ロッド部材１４は、その外面が接続部材１４に正しく位置合わせされるまで回転され、かつその回転の間、図１Ｂに示すように、接続部材１２及びロッド部材１４の歯２２及び３２が各々係合される。この係合は、歯２２が歯３２の背後でラッチして長手方向移動を防止することによって実行される。各歯３２の下には、ロッド部材１４の内壁へ切り込まれたノッチ３３が存在する。歯はノッチ３３内でロックし、より大きい歯２２の正係合をもたらす。
【００３６】
特に好適な実施形態において、カップリング１０はさらに、図１Ｄに示すように、各スタブ部分１６の端に設けられる、個々のロッド部材１４内にスタブ部分１６を位置決めする手助けをする位置決めデバイス４２を含む。図３及び図４は、これらのコンポーネントの代替実施形態を示す。位置決めデバイスは、図４の分解図に最もよく示されている。位置決めデバイス４２は、ばね４４によってばね荷重されるヘッド４１を含み、ばね４４は、ヘッド４１とスタブ部分１６上の最外の歯セット２０との間で作用する。サークリップ４５は、軸４７上のリセス４９内へロックすることにより、ばね４４及びヘッド４１をスタブ部分１６の軸４７上へ保持する。ヘッド４１は、回転して係合されるとロック位置でポジティブストップを生成する。
【００３７】
位置決めデバイス４２は、ヘッド４１の内面に形成される位置決め歯セット４６を含み、位置決め歯セット４６は、最外の歯セット２０に続いて軸４７の外側に形成される位置決め歯セット４８と相補的である。位置決め歯の相補セット４６、４８は、効果的には、スタブ部分１６を中心とするヘッド４１の４５゜刻みでの半径方向回転を許容する。
【００３８】
ヘッド４１は、スタブ部分１６及び位置決めデバイス４２が各々ロッド部材１４へ挿入されかつ４５゜回転されてスタブ部分１６の歯２２とロッド部材１４の歯３２とが係合されると、位置決めデバイス４２のロッド部材４２に対する回転が防止されるように成形される。位置決めデバイス４２は、これにより、スタブ部分１６及び関連のロッド部材１４をロック解除位置またはロック位置の何れかに保持する働きをする。ロック位置にある場合、ユーザは、カップリング１０の位置決め歯４６、４８の係合を解き、これにより、位置決めデバイス４２をロック解除位置に解放する必要がある。
【００３９】
図に示すように、この実施形態の位置決めデバイス４２のヘッド４１の外形は、ロッド部材１４の内側に一致するように略正方形である。ヘッド４１の各側面には、スタブ部分１６のトラフ２４に一致する凹形の溝５２が形成される。溝５２が（スタブ部分１６に対してヘッド４１を回転させることによって）スタブ部分１６のトラフ２４と軸方向に位置合わせされると、スタブ部分１６及び位置決めデバイス４２はロッド部材１４へ挿入されてもよい。この方法では、溝５２は、ロッド部材１４の歯３２をスタブ部分１６上のトラフ２４へと滑り込ませる。ヘッド４１の角５４は、（図１Ｂに示す）ロッド部材１４の角５６内へ受容される。ロッド部材１４またはスタブ部分１６が４５゜回転されて歯２２、３２を係合させるにつれて、ヘッド４１はロッド部材１４と共に回転する。位置決め歯４６、４８は４５゜の回転後に係合し、スタブ部分１６をロッド部材内にロックする。
【００４０】
位置決めデバイス４２は、スタブ部分１６とロッド部材１４が意図されない場合に外れる機会を低減することによってカップリングの機能を向上させ、かつコンポーネントの分離及び挿入をアシストする。これにより、スタブ部分１６とロッド部材１４とが意図に沿って真っ直ぐに並び、組み立てられる構造体の外観が向上する。
【００４１】
また図４は、スタブ部分１６とロッド部材１４が接続されると、両者間の嵌合を向上させるために設けられるゴムシール５８も示している。シール５８は、好適には、スタブ部分１６を包囲する短い各アーム１９の面５９に形成される環状の溝（不図示）内に位置づけられる。
【００４２】
図５Ａ及び図５Ｂは、本発明のコンポーネントセットを利用して構築され得るフレーム構造体の変形例を示す。フレーム構造体５０にはパネル４０が取り付けられ、家庭環境または商業環境で使用され得る棚が作られている。図５Ａに示すように、壁または構造体への一時的または永久的な取付けを可能にするコネクタ５１が存在してもよい。
【００４３】
次に、図６、図７Ａ及び図７Ｂを参照して、本発明の代替実施形態について説明する。本発明のこの実施形態では、接続部材１１２は、先に述べた取付け用パネル４０のための複数のアタッチメントポイント６０を追加装備している。図に示すように、アタッチメントポイント６０は、交差形のアタッチメント部材６２の末端に設けられる。アタッチメントポイント６０は隣接するロッド部材１４同士によって生成される角に位置づけられ、よって、パネル４０の角アタッチメントポイントを形成する。パネル４０は、ガラスまたはパースペクス製パネル、タイルまたはこれらに類似する他のパネル部材であってもよい。パネルがタイルである場合、図７Ａに示すように、コネクタへ雌クリップ６１がねじ込まれ、一方でタイル裏面に雄クリップ６３が取り付けられて次に雌クリップ６１上へクリッピングされる。パネルがガラス製パネルである場合、図７Ｂに示すように、パネルは、ねじ６５を使用して前側からアタッチメントポイント６０へ固定される。
【００４４】
アタッチメントポイント６０は、パネル４０を接続部材１１２へ接続するためにねじまたはボルト／ナットが挿入または取り付けられてもよいソケットを提供する。或いは、パネル４０は、その裏面にアタッチメントポイント６０に対応する取付け手段を装備してもよい。
【００４５】
本発明の各実施形態のカップリングは、所望に応じてサイズ及び形状を変えられる二次元構造体及び三次元構造体の双方を形成するために使用可能であることは認識されるであろう。アタッチメントポイント６０を装備する接続部材１１２の使用は、パネル４０の追加を有効化することにより、フレーム構造体の有用性をさらに拡大させる。フレーム構造体５０が二次元構造体である場合、これは、例えば図８Ｂに示すように、パネル４０の追加によって壁上の視覚的ディスプレイを生成するために使用されてもよい。
【００４６】
アタッチメントポイント６０は、棚、ラック、照明、キャスタ及び他のアクセサリを取り付けるために使用されてもよく、これにより、機能的並びに視覚的な製品が生み出される。アタッチメントポイント６０は、その多用性を拡大するために、内側をねじ切りされてもよい。
【００４７】
またアタッチメントポイント６０は、フレーム構造体５０を壁、床または天井へねじまたはボルト／ナットによって固定するために使用されてもよい。好都合には、生成されるフレーム構造体５０及びパネル４０は全て、それが取り付けられる壁、床または天井への損傷を最小限に抑えた取外しが可能である。
【００４８】
図９から図１５は本発明の別の実施形態を示し、これらの図において、第１の実施形態のものに対応するエレメントは、類似の数字に「２」を先行させて示されている。セット２００は、４つのスタブ部分２１６を有する接続エレメント２１０の形式である第１のコンポーネントを含む。管状コンポーネント２１４の形式である個々の４つの第２のコンポーネントが、接続エレメント２１０へ結合される。
【００４９】
スタブ部分２１６は、トラフ２２４によって周方向に分離された半径方向へ延びる４つの歯２２２のセットを有して形成される。管状コンポーネント２１４は、スタブ部分２１６の１つを受け入れるように成形されるソケット部分２１２を含む。ソケット部分２１２の内面には、スタブ部分の歯２２２及びトラフ２２４に対して相補的な歯２３２及びトラフ２３４が設けられる。スタブ部分２１６は中空であり、（図１１に示すように）接続エレメント２１０の個々の円筒アーム２１１の外端でねじ２１６ａにより所定の位置に保持される。
【００５０】
接続エレメント２１０上には、軸方向へ滑動可能なロック機構２５０が設けられる。ばね荷重式の管状部分またはスリーブ２５２は、図９から分かるように、各スタブ部分２１６の後方で接続エレメント２１０の周りに滑動可能式に、但し回転不能式に配置される。スリーブ２５２は前後に滑動可能であるが、内側のばね２５１によって図９及び図１０に示す前方向位置へ偏らされる。ばね２５１は、ショルダ２１３に当たって存在する。図１１に最もよく示されているように、後方限界はエレメント２１０上の周状ショルダ２５３によって画定され、前方限界はスタブ部分２１６の周状ランド２５５の後方ショルダによって決定される。
【００５１】
スリーブ２５２は、ランド２５５内のスロット２５７を介してスタブ部分２１６の端へ向かって軸方向に延びる、正反対の対向する２つの長方形突起２５４を含む。
【００５２】
図１２及び図１３を参照すると、管状コンポーネント２１４を接続エレメント２１０へ結合するために、管状コンポーネント２１４は、歯２３２をトラフ２２４に位置合わせしてスタブ部分２１６上へ導入され、その内側の位置に接近した時点で個々のスリーブ２５２の突起２５４に係合する。管状部分２５２は、これにより後方へ押されてばね２５１に当たり、よって突起２５４はショルダ２５６を過ぎてランド２５５の前側に引っ込められる。これにより、ソケット２１２はショルダ２５６までずっと挿入されることが可能であり、かつスタブ部分２１６上の歯２２２は相対的にソケット２１２内の歯２３２を過ぎて移動することが可能であって、回転が許容される。次に、接続エレメント２１０に対するスリーブ２１４の回転は、対応する歯に係合して軸方向の移動を防止し、スリーブ２５２は、図１５に示すように、突起２５４がソケット２１２内の対応するトラフ２３４内に係合できるにつれて、ばね２５１により前側へ解放される。これは、スリーブ２５２がまず手動で後方へ引き下げられない限り、スリーブ２５２によって試行される全ての相対的逆回転を阻止する。
【００５３】
図１０からは、スリーブ２５２が管状コンポーネント２１４の周面及びショルダ２５３の後方におけるエレメント２１０の隣接する外面と同一平面にある周面を有し、滑らかな一体式の外観を与えることが留意されるであろう。
【００５４】
図１６から図２２は本発明の別の実施形態を示し、これらの図において、第１の実施形態のものに対応するエレメントは、類似の数字に「３」を先行させて示されている。アッセンブリ３００は、３つのスタブ部分３１６を有する接続エレメント３１０の形式である第１のコンポーネントを含む。管状コンポーネント３１４の形式である個々の３つの第２のコンポーネントが、接続エレメント３１０へ結合される。
【００５５】
スタブ部分３１６は、トラフ３２４により周方向に分離された半径方向へ延びる歯３２２による軸方向へ離隔されたセットによって形成される。管状コンポーネント３１４は、スタブ部分３１６の１つを受け入れるように成形されるソケット部分３３４を有する。ソケット部分の内面３３５には、周方向に離隔された形成物３３３が設けられ、内面３３５内へ切り込まれたノッチとして形成される。ノッチ３３３は、図２１に示すように、ソケット部分３３４の内壁の幅より大きい円の外周によって画定される。
【００５６】
スタブ部分３１６は、歯３２２をソケットの角内のノッチ３３３間に位置合わせすることによって、管状コンポーネント３１４のソケット３３４内に受容される（図１９Ａ及び図１９Ｂ）。この後、スタブ部分３１６及びソケット３３４は、歯３２２がノッチ３３３内に係合するように管状コンポーネント３１４を４５゜刻みで相対的に回転させることによって接続され、管状コンポーネント３１４のあらゆる長手方向移動が防止される。係合を解くには、ノッチ３３３が歯３２２との係合から外れて移動するように管状コンポーネント３１４が再度回転され、管状コンポーネント３１４をスタブ部分３１６から引き離すことが可能にされる。
【００５７】
本発明の様々な実施形態は、ロバストであって使用が容易なフレーム構造体の生成に使用できる、共に結合されるべき改良されたコンポーネントセットを提供する。
【図１Ａ】
2010513801.tif 000003
【図１Ｂ】
2010513801.tif 000004
【図１Ｃ】
2010513801.tif 000005
【図１Ｄ】
2010513801.tif 000006
【図１Ｅ】
2010513801.tif 000007
【図２】
2010513801.tif 000008
【図３】
2010513801.tif 000009
【図４】
2010513801.tif 000010
【図５Ａ】
2010513801.tif 000011
【図５Ｂ】
2010513801.tif 000012
【図６】
2010513801.tif 000013
【図７Ａ】
2010513801.tif 000014
【図７Ｂ】
2010513801.tif 000015
【図８Ａ】
2010513801.tif 000016
【図８Ｂ】
2010513801.tif 000017
【図９】
2010513801.tif 000018
【図１０】
2010513801.tif 000019
【図１１】
2010513801.tif 000020
【図１２】
2010513801.tif 000021
【図１３】
2010513801.tif 000022
【図１４Ａ】
2010513801.tif 000023
【図１４Ｂ】
2010513801.tif 000024
【図１４Ｃ】
2010513801.tif 000025
【図１５】
2010513801.tif 000026
【図１６】
2010513801.tif 000027
【図１７】
2010513801.tif 000028
【図１８】
2010513801.tif 000029
【図１９Ａ】
2010513801.tif 000030
【図１９Ｂ】
2010513801.tif 000031
【図１９Ｃ】
2010513801.tif 000032
【図１９Ｄ】
2010513801.tif 000033
【図２０】
2010513801.tif 000034
【図２１】
2010513801.tif 000035
【図２２】
2010513801.tif 000036
【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
共に結合され得るコンポーネントのセットであって、
第１のコンポーネントであって、前記第１のコンポーネントから延びる１つまたは複数のスタブ部分を有し、前記１つまたは複数のスタブ部分はトラフにより周方向に分離される半径方向に延びる歯のうちの少なくとも１つのセットで形成される第１のコンポーネントと、
前記スタブ部分のうちの１つを受け入れるように成形されるソケット部分を有する第２のコンポーネントであって、前記ソケット部分の内面に周方向に離隔して配置される形成物が設けられる第２のコンポーネントと、を含み、
前記スタブ部分は、前記スタブ部分の歯を前記ソケットの形成物間に位置合わせすることによって前記第２のコンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続されるコンポーネントのセット。
【請求項２】
前記形成物は、前記ソケット部分の内面に設けられる相補的な歯及びトラフであり、
前記スタブ部分は、前記スタブ部分の歯を前記ソケットのトラフと位置合わせすることによって前記第２のコンポーネントのソケット内に受容され、前記スタブ部分及びソケットは、この後、前記スタブ部分の歯が前記ソケットの歯に係合して前記第１及び第２のコンポーネントを結合させるように前記第１または第２のコンポーネントを相対的に回転させることによって接続される、請求項１に記載のセット。
【請求項３】
前記形成物は、前記ソケットの内壁に切り込まれたノッチであり、前記スタブ部分の歯は前記ノッチ内に係合する、請求項１に記載のセット。
【請求項４】
前記ノッチは円の外周によって画定され、前記外周は前記ソケットの内壁の幅より大きい、請求項３に記載のセット。
【請求項５】
前記第１のコンポーネントは接続用エレメントであり、かつ前記第２のコンポーネントは、好適には円形または正方形断面の管状コンポーネントであってもよい、請求項２、３または４に記載のセット。
【請求項６】
前記スタブ部分に沿って軸方向へ複数の歯セットが設けられる、先行する請求項のいずれか１項に記載のセット。
【請求項７】
隣接する歯セットのピーク及びトラフは、軸方向に位置合わせされたトラフ領域によって分離される軸方向に位置合わせされたピーク領域を画定するように軸方向に位置合わせされる、請求項６に記載のセット。
【請求項８】
前記ソケット部分は、軸方向に位置合わせされたトラフ領域によって分離される軸方向に位置合わせされたピーク領域を画定する相補的な形成物を装備する、請求項７に記載のセット。
【請求項９】
前記スタブ部分の断面は略円形である、先行する請求項のいずれか１項に記載のセット。
【請求項１０】
前記スタブ部分に沿って軸方向へ一連の３セットの歯が設けられる、先行する請求項のいずれか１項に記載のセット。
【請求項１１】
前記歯セットまたは各歯セット及びトラフは、個々のセットの軸方向断面が略正方形断面に似るように、前記スタブ部分の周辺で周方向に交互する４つのピーク及び４つのトラフから成る、先行する請求項のいずれか１項に記載のセット。
【請求項１２】
前記第１のコンポーネントは、個々の側面を有する略立方体形状である中心部分を含む、先行する請求項のいずれか１項に記載のセット。
【請求項１３】
少なくとも１つのスタブ部分は前記中心部分の１つの側面から延びる、請求項１２に記載のセット。
【請求項１４】
前記第１のコンポーネントは各々幾つかのスタブ部分を支持する、先行する請求項のいずれか１項に記載のセット。
【請求項１５】
前記第１のコンポーネントは、互いに直交して設けられる３つのスタブ部分を有し、これにより３つの第２のコンポーネントを接続する、請求項１４に記載のセット。
【請求項１６】
パネル構造体を形成するために、平面に設けられる４つのスタブ部分を有する複数の第１のコンポーネントが提供される、請求項１４に記載のセット。
【請求項１７】
前記第２のコンポーネントは中空の管状ロッドとして形成される、先行する請求項のいずれか１項に記載のセット。
【請求項１８】
前記第２のコンポーネントは正方形の外断面を有する、請求項１７に記載のセット。
【請求項１９】
前記第２のコンポーネントはアルミニウム押出し管として形成される、先行する請求項のいずれか１項に記載のセット。
【請求項２０】
各スタブ部分上に設けられる、前記スタブ部分を個々の前記第２のコンポーネント内へ位置決めするのをアシストする位置決めデバイスをさらに含む、先行する請求項のいずれか１項に記載のセット。
【請求項２１】
前記位置決めデバイスはばね荷重式であり、回転して係合されるとロック位置でポジティブストップを生成する、請求項２０に記載のセット。
【請求項２２】
前記位置決めデバイスは、その内面に形成され、各スタブ部分に形成される位置決め用歯セットと相補的である位置決め用歯セットを含む、請求項２０または２１に記載のセット。
【請求項２３】
前記相補的な位置決め用歯セットは、前記スタブ部分を中心とする前記位置決めデバイスの４５゜刻みでの半径方向回転を許容する、請求項２２に記載のセット。
【請求項２４】
前記位置決めデバイスは、個々の前記スタブ部分及び位置決めデバイスが第２のコンポーネントまたはソケットに挿入され、かつ４５゜回転されて前記スタブ部分の歯と前記第２のコンポーネントまたはソケットの歯とが係合すると、前記位置決めデバイスが前記第２のコンポーネントまたはソケットに対して回転されなくなるように成形される、請求項２３に記載のセット。
【請求項２５】
前記アッセンブリは、軸方向へ滑動可能なロック機構を含む、先行する請求項のいずれか１項に記載のセット。
【請求項２６】
ばね荷重式の管状部分は、前記スタブ部分の後方で前記第１のコンポーネントの周りに滑動可能式に、但し回転不能式に配置される、請求項２５に記載のセット。
【請求項２７】
前記管状部分からは、前記スタブ部分の端へ向かって軸方向へ少なくとも１つの突起が延びる、請求項２６に記載のセット。
【請求項２８】
前記スタブ部分を前記ソケット内へ完全に受け入れるために、前記ばね荷重式の管状部分は、前記歯と形成物とが係合できるように前記突起を引っ込めながら後方へ滑動されなければならない、請求項２７に記載のセット。
【請求項２９】
前記第１及び第２のコンポーネントによる相対回転で前記歯が係合した後、前記管状部分は前記突起を前記ソケットの形成物間へ導入するように移動し、前記管状部分がまず引っ込められて前記突起が解放されない限り前記ソケットの遊離を防止する、請求項２８に記載のセット。
【請求項３０】
中心部分から延びる１つまたは複数のスタブ部分を有するコンポーネントであって、前記１つまたは複数のスタブ部分は、トラフによって周方向に分離される半径方向に延びる歯の少なくとも１つのセットによって形成され、
前記コンポーネントは、前記スタブ部分のうちの１つを受け入れるように成形されるソケット部分を有する第２のコンポーネントへ結合されることが可能であり、前記ソケット部分の内面には周方向に離隔された形成物が設けられ、
前記スタブ部分は、前記スタブ部分の歯を前記ソケットの形成物間に位置合わせすることによって前記第２のコンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続されるコンポーネント。
【請求項３１】
前記スタブ部分のうちの１つを受け入れるように成形されるソケット部分を有するコンポーネントであって、前記ソケット部分の内面に周方向に離隔された形成物が設けられ、
前記コンポーネントは、中心部分から延びる１つまたは複数のスタブ部分を有する第２のコンポーネントへ結合されることが可能であり、前記１つまたは複数のスタブ部分は、トラフによって周方向に分離される半径方向に延びる歯の少なくとも１つのセットによって形成され、
前記スタブ部分は、前記スタブ部分の歯を前記ソケットの形成物間に位置合わせすることによって前記コンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続されるコンポーネント。
【請求項３２】
請求項１から２９のいずれか１項に記載の１つまたは複数のセットを含むフレーム構造体。
【請求項３３】
前記フレーム構造体は壁に取り付けられる、請求項３２に記載のフレーム構造体。
【請求項３４】
前記フレーム構造体は自立構造体である、請求項３２に記載のフレーム構造体。
【請求項３５】
前記構造体へ少なくとも１つのパネル部材を取り付けるための手段をさらに含む、請求項３２、３３または３４に記載のフレーム構造体。
【請求項３６】
前記パネル部材はタイル、ガラスパネルまたはこれらに類似するものである、請求項３５に記載のフレーム構造体。
【請求項３７】
フレーム構造体用キットであって、
少なくとも１つの第１のコンポーネントであって、前記第１のコンポーネントから延びる１つまたは複数のスタブ部分を有し、前記１つまたは複数のスタブ部分はトラフにより周方向に分離される半径方向に延びる歯のうちの少なくとも１つのセットで形成される少なくとも１つの第１のコンポーネントと、
前記スタブ部分のうちの１つを受け入れるように成形されるソケット部分を有する少なくとも１つの第２のコンポーネントであって、前記ソケット部分の内面に周方向へ離隔して配置される形成物が設けられる少なくとも１つの第２のコンポーネントと、を含み、
前記スタブ部分は、前記スタブ部分の歯を前記ソケットの形成物間に位置合わせすることによって前記第２のコンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続されるキット。
【請求項３８】
フレーム構造体のためのカップリングであって、前記カップリングは接続部材と、少なくとも１つのロッド部材とを含み、
前記接続部材は、前記接続部材から延びる１つまたは複数のスタブ部分を含み、前記１つまたは複数のスタブ部分は、トラフによって周方向に分離される半径方向へ延びる歯セットで形成され、
前記少なくとも１つのロッド部材は、前記スタブ部分のうちの１つを受け入れるように成形された端部分を含み、前記端部分の内面には相補的な歯及びトラフが設けられ、
前記スタブ部分は、前記スタブ部分の歯を前記ロッド部材のトラフに位置合わせすることによって少なくとも１つのロッド部材内に受容され、前記スタブ部分及びロッド部材は、この後、前記スタブ部分の歯が前記ロッド部材の歯に係合するように前記スタブ部分及び前記ロッド部材を相対的に回転させることによって接続されるカップリング。
【請求項３９】
共に結合され得るコンポーネントのセットであって、
中心部分を有する接続エレメントを備える第１のコンポーネントであって、前記中心部分は、各々から個々のスタブ部分が延びる３つ以上のアームを有し、前記スタブ部分は各々、トラフにより周方向に分離される半径方向に延びる歯のうちの少なくとも１つのセットで形成される第１のコンポーネントと、
１つまたは両方の端にソケット部分を有するロッド部材を備える複数の第２のコンポーネントであって、前記ソケット部分は前記スタブ部分のうちの１つを受け入れるように成形され、前記ソケット部分の内面には周方向に離隔された形成物が設けられる複数の第２のコンポーネントとを含み、
前記スタブ部分の各々は、前記スタブ部分の歯を前記ソケットの形成物間に位置合わせすることによって前記第２のコンポーネントの各々の前記ソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続され、
前記第２のコンポーネントの各々は、前記第１及び第２のコンポーネントが互いに結合されると、接続される前記スタブ部分が延びる起点である前記第１のコンポーネントの個々の前記アームの外面と同じ外部寸法を有する外面を有し、これにより滑らかな外観が得られるコンポーネントのセット。
【請求項４０】
共に結合され得るコンポーネントのセットであって、
第１のコンポーネントであって、前記第１のコンポーネントから延びる１つまたは複数のスタブ部分を有し、前記１つまたは複数のスタブ部分はトラフにより周方向に分離される半径方向に延びる歯のうちの少なくとも１つのセットで形成される第１のコンポーネントと、
前記スタブ部分のうちの１つを受け入れるように成形されるソケット部分を有する第２のコンポーネントであって、前記ソケット部分の内面に周方向へ離隔して配置される形成物が設けられる第２のコンポーネントと、を含み、
前記スタブ部分は、前記スタブ部分の歯を前記ソケットの形成物間に位置合わせすることによって前記第２のコンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続され、
前記コンポーネントのセットは、
各スタブ部分上に設けられる、前記スタブ部分を個々の前記第２のコンポーネント内へ位置決めするのをアシストする回転可能な位置決めデバイスを含み、
前記位置決めデバイスはさらにばね荷重式であり、回転して係合されるとロック位置においてポジティブストップを生成するコンポーネントのセット。
【請求項４１】
前記位置決めデバイスは、その内面に形成され、各スタブ部分上に形成される位置決め歯のセットと相補的である位置決め歯のセットを含む、請求項４０に記載のセット。
【請求項４２】
前記相補的な位置決め歯セットは、前記スタブ部分を中心とする前記位置決めデバイスの４５゜刻みでの半径方向回転を許容する、請求項４１に記載のセット。
【請求項４３】
前記位置決めデバイスは、前記個々のスタブ部分及び位置決めデバイスが第２のコンポーネントまたはソケットに挿入され、かつ４５゜回転されて前記スタブ部分の歯と前記第２のコンポーネントまたはソケットの歯とが係合すると、前記位置決めデバイスが前記第２のコンポーネントまたはソケットに対して回転されなくなるように成形される、請求項４２に記載のセット。
【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
共に結合され得るコンポーネントのセットであって、
第１のコンポーネントであって、前記第１のコンポーネントから延びる１つまたは複数のスタブ部分を有し、前記１つまたは複数のスタブ部分はトラフにより周方向に分離される半径方向に延びる歯のうちの少なくとも１つのセットで形成される第１のコンポーネントと、
前記スタブ部分のうちの１つを受け入れるように成形されるソケット部分を有する第２のコンポーネントであって、前記ソケット部分の内面に周方向へ離隔して配置される形成物が設けられる第２のコンポーネントと、を含み、
前記スタブ部分は、前記スタブ部分の歯を前記ソケットの形成物間に位置合わせすることによって前記第２のコンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続され、
前記コンポーネントのセットは、
各スタブ部分上に設けられる、前記スタブ部分を個々の前記第２のコンポーネント内へ位置決めするのをアシストする回転可能な位置決めデバイスを含み、
前記位置決めデバイスはさらにばね荷重式であり、回転して係合されるとロック位置においてポジティブストップを生成するコンポーネントのセット。
【請求項２】
前記位置決めデバイスは、その内面に形成され、各スタブ部分上に形成される位置決め歯のセットと相補的である位置決め歯のセットを含む、請求項１に記載のセット。
【請求項３】
前記相補的な位置決め歯セットは、前記スタブ部分を中心とする前記位置決めデバイスの４５゜刻みでの半径方向回転を許容する、請求項２に記載のセット。
【請求項４】
前記位置決めデバイスは、前記個々のスタブ部分及び位置決めデバイスが第２のコンポーネントまたはソケットに挿入され、かつ４５゜回転されて前記スタブ部分の歯と前記第２のコンポーネントまたはソケットの歯とが係合すると、前記位置決めデバイスが前記第２のコンポーネントまたはソケットに対して回転されなくなるように成形される、請求項３に記載のセット。
【請求項５】
前記形成物は、前記ソケット部分の内面に設けられる相補的な歯及びトラフであり、
前記スタブ部分は、前記スタブ部分の歯を前記ソケットのトラフと位置合わせすることによって前記第２のコンポーネントのソケット内に受容され、前記スタブ部分及びソケットは、この後、前記スタブ部分の歯が前記ソケットの歯に係合して前記第１及び第２のコンポーネントを結合させるように前記第１または第２のコンポーネントを相対的に回転させることによって接続される、請求項１に記載のセット。
【請求項６】
前記形成物は、前記ソケットの内壁に切り込まれたノッチであり、前記スタブ部分の歯は前記ノッチ内に係合する、請求項１に記載のセット。
【請求項７】
前記アッセンブリは、軸方向へ滑動可能なロック機構を含む、請求項１から６のいずれかに記載のセット。
【請求項８】
ばね荷重式の管状部分は、前記スタブ部分の後方で前記第１のコンポーネントの周りに滑動可能式に、但し回転不能式に配置される、請求項７に記載のセット。
【請求項９】
前記管状部分からは、前記スタブ部分の端へ向かって軸方向へ少なくとも１つの突起が延びる、請求項８に記載のセット。
【請求項１０】
前記スタブ部分を前記ソケット内へ完全に受け入れるために、前記ばね荷重式の管状部分は、前記歯と形成物とが係合できるように前記突起を引っ込めながら後方へ滑動されなければならない、請求項９に記載のセット。
【請求項１１】
前記第１及び第２のコンポーネントによる相対回転で前記歯が係合した後、前記管状部分は前記突起を前記ソケットの形成物間へ導入するように移動し、前記管状部分がまず引っ込められて前記突起が解放されない限り前記ソケットの遊離を防止する、請求項１０に記載のセット。
【請求項１２】
共に結合され得るコンポーネントのセットであって、
中心部分を有する接続エレメントを備える第１のコンポーネントであって、前記中心部分は、各々から個々のスタブ部分が延びる３つ以上のアームを有し、前記スタブ部分は各々、トラフにより周方向に分離される半径方向に延びる歯のうちの少なくとも１つのセットで形成される第１のコンポーネントと、
１つまたは両方の端にソケット部分を有するロッド部材を備える複数の第２のコンポーネントであって、前記ソケット部分は前記スタブ部分のうちの１つを受け入れるように成形され、前記ソケット部分の内面には周方向に離隔された形成物が設けられる複数の第２のコンポーネントとを含み、
前記スタブ部分の各々は、前記スタブ部分の歯を前記ソケットの形成物間に位置合わせすることによって前記第２のコンポーネントの各々の前記ソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続され、
前記第２のコンポーネントの各々は、前記第１及び第２のコンポーネントが互いに結合されると、接続される前記スタブ部分が延びる起点である前記第１のコンポーネントの個々の前記アームの外面と同じ外部寸法を有する外面を有し、これにより滑らかな外観が得られるコンポーネントのセット。
【請求項１３】
前記第１のコンポーネントは各々幾つかのスタブ部分を支持する、請求項１２に記載のセット。
【請求項１４】
前記第１のコンポーネントは、互いに直交して設けられる３つのスタブ部分を有し、これにより３つの第２のコンポーネントを接続する、請求項１３に記載のセット。
【請求項１５】
パネル構造体を形成するために、平面に設けられる４つのスタブ部分を有する複数の第１のコンポーネントが提供される、請求項１３に記載のセット。
【請求項１６】
前記第１のコンポーネントは、個々の側面を有する略立方体形状である中心部分を含む、請求項１２に記載のセット。
【請求項１７】
各スタブ部分上に設けられる、前記スタブ部分を個々の前記第２のコンポーネント内へ位置決めするのをアシストする位置決めデバイスをさらに含む、請求項１に記載のセット。
【請求項１８】
前記位置決めデバイスはばね荷重式であり、回転して係合されるとロック位置でポジティブストップを生成する、請求項１５に記載のセット。
【請求項１９】
前記位置決めデバイスは、その内面に形成され、各スタブ部分に形成される位置決め用歯セットと相補的である位置決め用歯セットを含む、請求項１７または１８に記載のセット。
【請求項２０】
前記相補的な位置決め用歯セットは、前記スタブ部分を中心とする前記位置決めデバイスの４５゜刻みでの半径方向回転を許容する、請求項１９に記載のセット。
【請求項２１】
前記位置決めデバイスは、個々の前記スタブ部分及び位置決めデバイスが第２のコンポーネントまたはソケットに挿入され、かつ４５゜回転されて前記スタブ部分の歯と前記第２のコンポーネントまたはソケットの歯とが係合すると、前記位置決めデバイスが前記第２のコンポーネントまたはソケットに対して回転されなくなるように成形される、請求項２０に記載のセット。
【請求項２２】
ばね荷重式の管状部分は、前記スタブ部分の後方で前記第１のコンポーネントの周りに滑動可能式に、但し回転不能式に配置される、請求項１２に記載のセット。
【請求項２３】
前記管状部分からは、前記スタブ部分の端へ向かって軸方向へ少なくとも１つの突起が延びる、請求項２２に記載のセット。
【請求項２４】
前記スタブ部分を前記ソケット内へ完全に受け入れるために、前記ばね荷重式の管状部分は、前記歯と形成物とが係合できるように前記突起を引っ込めながら後方へ滑動されなければならない、請求項２３に記載のセット。
【請求項２５】
前記第１及び第２のコンポーネントによる相対回転で前記歯が係合した後、前記管状部分は前記突起を前記ソケットの形成物間へ導入するように移動し、前記管状部分がまず引っ込められて前記突起が解放されない限り前記ソケットの遊離を防止する、請求項２４に記載のセット。
【請求項２６】
請求項１または１２に記載の１つまたは複数のセットを含むフレーム構造体。
【請求項２７】
前記フレーム構造体は壁に取り付けられる、請求項２６に記載のフレーム構造体。
【請求項２８】
前記フレーム構造体は自立構造体である、請求項２７に記載のフレーム構造体。
【請求項２９】
前記構造体へ少なくとも１つのパネル部材を取り付けるための手段をさらに含む、請求項２６に記載のフレーム構造体。
【請求項３０】
前記パネル部材はタイル、ガラスパネルまたはこれらに類似するものである、請求項２９に記載のフレーム構造体。
【請求項３１】
共に結合され得るコンポーネントのセットであって、
第１のコンポーネントであって、前記第１のコンポーネントから延びる１つまたは複数のスタブ部分を有し、前記１つまたは複数のスタブ部分はトラフにより周方向に分離される半径方向に延びる歯のうちの少なくとも１つのセットで形成される第１のコンポーネントと、
前記スタブ部分のうちの１つを受け入れるように成形されるソケット部分を有する第２のコンポーネントであって、前記ソケット部分の内面に周方向へ離隔して配置される形成物が設けられる第２のコンポーネントと、を含み、
前記スタブ部分は、前記スタブ部分の歯を前記ソケットの形成物間に位置合わせすることによって前記第２のコンポーネントのソケット内に受容されることが可能であり、前記スタブ部分及びソケットは、この後、前記スタブ部分の歯が前記ソケットの形成物に係合して前記第１及び第２のコンポーネントを結合させるように前記第１または第２のコンポーネントを相対的に回転させることによって接続され、
前記アッセンブリは軸方向へ滑動可能なロック機構を含むコンポーネントのセット。
【請求項３２】
ばね荷重式の管状部分は、前記スタブ部分の後方で前記第１のコンポーネントの周りに滑動可能式に、但し回転不能式に配置される、請求項３１に記載のセット。
【請求項３３】
前記管状部分からは、前記スタブ部分の端へ向かって軸方向へ少なくとも１つの突起が延びる、請求項３２に記載のセット。
【請求項３４】
前記スタブ部分を前記ソケット内へ完全に受け入れるために、前記ばね荷重式の管状部分は、前記歯と形成物とが係合できるように前記突起を引っ込めながら後方へ滑動されなければならない、請求項３３に記載のセット。
【請求項３５】
前記第１及び第２のコンポーネントによる相対回転で前記歯が係合した後、前記管状部分は前記突起を前記ソケットの形成物間へ導入するように移動し、前記管状部分がまず引っ込められて前記突起が解放されない限り前記ソケットの遊離を防止する、請求項３４に記載のセット。
【国際調査報告】
2010513801.tif 000037
2010513801.tif 000038
2010513801.tif 000039